(57)【要約】【課題】  とくに女性用として、本来のサイズ以上にお尻が小さく見えるようにし、着用するだけで視覚に作用して美尻的ないし小尻的印象を与えるジーンズを提供すること。【解決手段】  腰帯１における尻中心位置の縦幅（Ａ−Ｂ長さ）を左右脇位置の縦幅（Ｃ−Ｄ長さ）より長くして、ヨークを省いて前記腰帯の下端を後身頃上端に直接縫着した。腰帯１をカーブベルト状とし、後ポケット６，７下縁において内側に折り返される縫い代を広幅に取りつつ、前記縫い代の存在が後ポケット６，７表面に浮き出るように当たり感を施すことにより、一層視覚的効果を向上して可愛らしいお尻と見せる効果が得られる。【選択図】  図２
2005163218.tif 000002
【特許請求の範囲】
【請求項１】
腰帯における尻中心位置の縦幅を左右脇位置の縦幅より長くして、ヨークを省いて前記腰帯の下端を後身頃上端に直接縫着してなるジーンズ。
【請求項２】
後ポケット下縁において内側に折り返される縫い代を広幅に取りつつ、前記縫い代の存在が後ポケット表面に浮き出るように当たり感を施してなる請求項１記載のジーンズ。
【請求項３】
後ポケットが略五角形状であり、当該後ポケット上縁を腰帯下縁に近接した位置に縫着する一方、下縁二辺において内側に折り返された縫い代を広幅に取りつつ、前記縫い代の上端付近に位置するように、後ポケットを略水平に横断するステッチを施してなる請求項１記載のジーンズ。
【請求項４】
腰帯をカーブベルト状に形成してなる請求項１ないし３いずれかに記載のジーンズ。
【請求項５】
腰帯下端に縫着された前立ての長さが、腰帯の縦幅より短く設定されてなる請求項１ないし４いずれかに記載のジーンズ。
【発明の詳細な説明】
【技術分野】
【０００１】
本発明は、着用すると本来の大きさよりも可愛いらしく小さなお尻に見えるとともに、脚も長く見える、視覚的効果の高いジーンズ（デニムパンツ）に関する。
【背景技術】
【０００２】
着用する衣服によって人の印象が顕著に相違することはよく知られており、同じデザインの衣服であっても着用者によって似合う、似合わないといった問題はよく生じるところである。しかるに、従来のジーンズでは、専らジーンズ自体のシルエットデザインやカラーバリエーション展開を中心とした商品開発・提案がなされていたにすぎなかったところ、本件出願人は、先に着用者の脚を細く長く見せて美脚的印象を与える工夫を施したジーンズを提案した（特許文献１）。
【０００３】
前記ジーンズは、前身頃の内股線と後身頃の内股線を縫い合わせることにより形成される大股線（シーム）をジーンズの前面から見える位置に設けることにより、観察者（看者）の目線を前記シームに集中させ、ジーンズ着用者の脚を細く長く見せて美脚的印象を与えるものであり、今や成熟状態にあったジーンズ市場において新たな商品開発の方向を示すものとして好評を博している。
【０００４】
【特許文献１】登録実用新案第３０９４５８５号公報（第２頁特許請求の範囲、図１(a)及び図２(a)）
【発明の開示】
【発明が解決しようとする課題】
【０００５】
とくに女性においては体型の悩みは尽きず、脚と同様にお尻についてもシルエットを綺麗に、そして小さく見せたいという願望は強いが、本来のサイズ以上にお尻が小さく見えるように配慮したジーンズは従来見当たらなかった。また、最近では男性においてもスタイルを美しく見せたいという願望を抱くに至っているので、こうした要望に応えることが商品の新たな市場を開拓することになる。
【０００６】
本発明は、以上のような事情に鑑み、先に提案した美脚的印象を与えるジーンズをより発展させて、着用するだけで視覚に作用して美尻的ないし小尻的印象を与えるジーンズを提供することを目的とする。
【課題を解決するための手段】
【０００７】
前記所期の課題解決を図るため、本発明に係るジーンズでは、腰帯における尻中心位置の縦幅を左右脇位置の縦幅より長くして、ヨークを省いて前記腰帯の下端を後身頃上端に直接縫着することとした。従来のジーンズには必ず見られたヨーク（山はぎ）を省略することにより、尻側に表れる縫着線やステッチをスッキリと整理しながら、腰帯から股下部分の面積を小さくすることで、本来の尻の大きさよりも小さく可愛く見えるように視覚的効果の向上を図ったのである。
【０００８】
さらに本発明では、前記ジーンズの後ポケット下縁において内側に折り返される縫い代を広幅に取りつつ、前記縫い代の存在が後ポケット表面に浮き出るように当たり感を施すことにより、看者の視線を上方に、腰付近へと次第に移行させるようにした。
【０００９】
より具体的には、前記ジーンズの後ポケットを略五角形状とし、当該後ポケット上縁を腰帯下縁に近接した位置に縫着する一方、下縁二辺において内側に折り返された縫い代を広幅に取りつつ、前記縫い代の上端付近に位置するように、後ポケットを略水平に横断するステッチを施した。
【００１０】
腰帯は、カーブベルト状に形成したものを用いることで、着用者のお尻の上部からウエストに至るラインを包み込むように体型に沿わせることができる。
【００１１】
また、本発明では、前記構成としたジーンズにおいて、お尻側から得られる視覚的効果と調和を図るべく、腰帯下端に縫着された前立ての長さを腰帯の縦幅より短く設定した。
【発明の効果】
【００１２】
本発明に係るジーンズは、お尻の縫着線やステッチラインをスッキリと整理するとともに、太幅の腰帯から直接に後身頃が縫着され、かつ、後身頃におけるお尻部分が小面積となっているので、着用するだけで着用者本来のお尻の大きさよりも小さく可愛く見える視覚的効果が得られる。
【００１３】
また、後ポケットの下部において当たり感を施し、場合によりステッチと組み合わせるようにしたので、お尻全体におけるポケット面積を変えることなく、ポケットの上方へと看者の視線を誘導させることができる結果、本来の大きさよりもお尻を小さく見せることができる。
【００１４】
そして、腰帯をカーブベルト状に形成したジーンズでは、着用者のお尻の上部からウエストに至るラインを包み込むように体型に沿わせることができるので、前後方向から見たときの着用者のウエストラインを顕在化させることにより、キュッと引き締まった小さなお尻として見せることができる。
【００１５】
さらに、ジーンズ前面側の前立長さを短くし、従来より広幅とした腰帯の縦幅との調和を図ったので、ジーンズ背面から前面側へと視線が移動しても違和感なく、小尻の印象そのままを維持しながら、脚を長く見せることができる。
【発明を実施するための最良の形態】
【００１６】
以下、図面に従って本発明に係るジーンズを詳細に説明する。図１は本発明に係るジーンズの一例を示した腰部付近の拡大正面図、図２は同ジーンズの拡大背面図であって、ともに２本の脚部の下側を省略している。これらに図示された例のジーンズＪは、腰帯１を構成する左前腰帯11と右前腰帯12それぞれの下端に対して左右の前身頃２，３の上端を縫着している点は従来のジーンズと同様であるが、左右の後身頃４，５の上端にヨークを縫着することなく、直接に腰帯１を構成する後腰帯13を縫着している点が相違している。
【００１７】
より詳しくは、本例のジーンズＪでは、後腰帯13の尻中心位置における上端Ａと下端Ｂ間の長さを右脇位置にある上端Ｃと下端Ｄの長さより長く、つまり、尻中心位置の縦幅（Ａ−Ｂ長さ）を右脇位置の縦幅（Ｃ−Ｄ長さ）より長く設定しているだけでなく、前記Ｃ−Ｄ長さでさえ従来のジーンズに比して相当長く設定し全体的に幅広な腰帯１として、後腰帯13から下側の尻部分に位置する左右後身頃４，５の面積を小さくするとともに、ヨークを省略して尻全体の縫着線を少なくしている。前記腰帯１全体の縦幅は、ジーンズＪのサイズや狙いとする小尻の雰囲気に応じて設定すればよいが、例えばＣ−Ｄ長さは５cmから11cm程度、Ａ−Ｂ長さは６cmから12cm程度、好ましくはＣ−Ｄ長さが８cm程度、Ａ−Ｂ長さが９cm程度である。
【００１８】
図３は図１のジーンズにおける右後ポケットの拡大図であり、実線部分は後ポケットの輪郭を、破線部分はステッチを、一点鎖線部分は縫い代を、それぞれ表している。本例の後ポケット７は、上縁開口部71と、その両端から各々垂下された左側縁72及び右側縁73、そして二辺の下縁74, 75からなる、一般的な五角形状をしたものであるが、二辺で鈍角をなす下縁74, 75において内側に折り返される縫い代N1, N2が、その他の周辺部分に設けられた縫い代よりも広幅に設定されている点が特徴となっている。
【００１９】
より具体的には、二辺の下縁74, 75以外の周辺部分における縫い代Ｎは、せいぜい後ポケット７に施された内側のステッチS6〜S10の若干内側位置に至る程度の幅に設定されるのであるが、二辺の下縁74, 75に位置する縫い代N1, N2は、その1.5倍ないし2.5倍程度の幅に確保されている。例えば、図３の後ポケット７における水平な二本ステッチS1, S2の両端に位置している縫い代の幅αを１cmとすると、下縁における縫い代N1の幅βは２cmである。
【００２０】
そして、内側に折り返された前記縫い代N1, N2の存在が外見的にも判る程度に、後ポケット７の表面には浮き出るような当たり感が施されている。こうした当たり感は、後ポケット７の表面側を押圧摩擦することにより得られ、図３においては後ポケット７の表生地内に一点鎖線で示された輪郭形状やその内側部分が、擦過傷のようにやや脱色し浮き上がった感じで模様的に現出されることになる。
【００２１】
さらに、前述のような当たり感が施された縫い代N1, N2の上端付近には、ほぼ近接するように、後ポケット７を略水平かつ左右方向に横断する水平な二本の直線状ステッチSS1, SS2が施されているので、ごく通常サイズの右後ポケット７を採用しているにもかかわらず、看者の視線は前記ステッチSS1, SS2より上側に位置する面積の広い部分へと導かれる結果、ヒップアップしているかのうような印象を与えることになる。
【００２２】
加えて、本例の右後ポケット７では、内側の左右ステッチS7, S10の中程が左右方向に膨出するよう全体的に湾曲形成されているので、着用時においてはお尻の山ラインの丸みを強調するような印象を与える効果が得られる。この内側左右ステッチS7, S10の上端は、各々右後ポケット７の左右上端間をカン止めSK1, SK2することにより縫着処理されている。以上、右後ポケット７について説明したが、こうしたポケットの処理は、左後ポケットにおいても同様に施される。
【００２３】
図２に戻って、以上説明したような左右後ポケット６,７は左右後身頃４, ５に対し上縁を残して縫着されることになるが、その際には縫着位置が出来るだけ上方になるよう設定するとよい。具体的には、左右後ポケット６，７における尻中心側上端部分が腰帯１（正確には後腰帯13）に近づくように、両者の間隔を1.5cm程度に設定する。なお、左右後ポケット６，７の中央付近と腰帯１の間にダーツ41, 51を設けて左右後身頃４，５を摘んでおくと、より着用者のお尻ラインに沿うようになるので好ましい。
【００２４】
図４は、図１のジーンズにおける後身頃側の腰帯の展開図である。図示されるように、腰帯１としては全体がカーブベルト状に湾曲裁断されたものが用いられる。前述のように、尻中心位置の縦幅（Ａ−Ｂ長さ）は、左右脇位置の縦幅（Ｃ−Ｄ長さ）より長くなるように設定されている。そして、両端部分を前身頃側に位置している左前腰帯11と右前腰12にそれぞれ縫合する際に、各縫合部分をやや内側に摘むようにしておくと、より一層着用者の尻上部や腰のラインに沿うことになり、好ましい。
【００２５】
再び図１に戻って、本発明に係るジーンズＪでは、以上説明したようなお尻側から得られる小尻的・美尻的な視覚的効果との調和を図るべく、前立て長さについても最適調整を図っている。すなわち、図１の例では、左右前腰帯11,12の下端に縫着された前立て31の長さ（Ｅ−Ｆ長さ）が左右前腰帯11,12の縦幅（本例では、Ｃ−Ｄ長さ）より短くなるように設定した。その結果、着用したジーンズＪを前方から見ると、従来のジーンズＪに比して前立て31部分の占める割合が極端に短かく、また、前立て31からクロッチ（股上Ｇの位置）までの部分までもが脚であるかのような錯覚を生じさせるので、着用者を観察した際の全体的な印象として小尻かつ脚長な雰囲気が感じられるようになるのである。
【図面の簡単な説明】
【００２６】
【図１】本発明に係るジーンズの一例を示した腰部付近の拡大正面図である。
【図２】図１の例のジーンズの拡大背面図である。
【図３】図１の例のジーンズにおける右後ポケットの拡大図である。
【図４】図１の例のジーンズにおける後身頃側の腰帯の展開図である。
【符号の説明】
【００２７】
１    腰帯
２    左前身頃
３    右前身頃
４    左後身頃
５    右後身頃
６    左後ポケット
７    右後ポケット
11    左前腰帯
12    右前腰帯
N1, N2    縫い代
【図１】
2005163218.tif 000003
【図２】
2005163218.tif 000004
【図３】
2005163218.tif 000005
【図４】
2005163218.tif 000006